(57)【要約】【課題】  お鏡餅用の販促的な装飾カバーで且つ購入者が飾るときの装飾カバーを提供することにある。【解決手段】  お鏡餅用装飾カバー１０は、開口孔３１を形成して収容部５１を貫通しつつお鏡餅５０を環状に巻装する帯状の本体１１からなり、当該本体１１は、お鏡餅５０の底面側を水平状に被覆する底面被覆部２０と、開口孔３１を有しお鏡餅の平面側を傾斜状に被覆する平面被覆部３０と、お鏡餅５０の背面側を鉛直状に被覆する背面被覆部４０を備える。そして、平面被覆部３０のお鏡餅正面側の側縁にお鏡餅の収容部底面側へ折り曲げる左右一対の折曲片３２，３２と、背面被覆部４０の内側に重ねるように逆レの字形に形成されてお鏡餅５０のフランジ部５２を押える押え部４５，４６とを備える。【選択図】  図１
0003205929.tif 000002
【実用新案登録請求の範囲】
【請求項１】
餅を収容した収容部と、収容部の下端に収容部底面を外延するフランジ部とを備えたお鏡餅に取り付けるお鏡餅用装飾カバーであって、
当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、平面被覆部のお鏡餅正面側の側縁にお鏡餅の収容部底面側へ折り曲げる左右一対の折曲片と、背面被覆部の内側に重ねるように逆レの字形に形成されてお鏡餅のフランジ部を押える押え部とを備えたことを特徴とするお鏡餅用装飾カバー。
【請求項２】
背面被覆部の下端縁に底面被覆部側へ折り曲げる差込片と、
底面被覆部の背面被覆部側に差込片の差込口となる観音開き形の左右の扉部とを備えたことを特徴とする請求項１記載のお鏡餅用装飾カバー。
【請求項３】
請求項１又は２記載のお鏡餅用装飾カバーを取り付けて装飾されたことを特徴とするお鏡餅。
【考案の詳細な説明】
【技術分野】
【０００１】
本願考案は、お鏡餅を装飾するために取り付ける装飾カバー（お鏡餅用装飾カバー）に関するものである。
【背景技術】
【０００２】
お鏡餅は、平たく円形の鏡のように作った餅で、大小２個を重ね、正月に神仏に供え、または吉例の時などに用いられるものである。但し、近年では、餅をそのまま供えると、カビが生えたり、ひび割れが生じたりするために、プラスチック製の容器などに入れたものが広く製造・販売されている。
【０００３】
本願出願人は、そのプラスチック製の容器などに入れたお鏡餅に関して、競合する商品との差別化を図ること、さらにはお鏡餅の見栄えを向上させ、店頭でアピールできる販促的な装飾カバーで且つ購入者（お客様）が飾るときの装飾カバーを備えたお鏡餅の提供を目的として、特許文献１に開示されたお鏡餅用装飾カバーを出願した。
【先行技術文献】
【特許文献】
【０００４】
【特許文献１】実用新案登録第３１９２５９８号公報
【考案の開示】
【考案が解決しようとする課題】
【０００５】
そして、本願出願人は、上記する特許文献１に開示されたお鏡餅用装飾カバーの研究・開発をさらに進め、改良したお鏡餅用装飾カバーを完成するに至った。
【課題を解決するための手段】
【０００６】
本願考案に係る第１の考案は、餅を収容した収容部と、収容部の下端に収容部底面を外延するフランジ部とを備えたお鏡餅に取り付けるお鏡餅用装飾カバーであって、当該装飾用カバーは、開口孔を形成して収容部を貫通しつつお鏡餅を環状に巻装する帯状の本体からなり、当該本体は、お鏡餅の底面側を水平状に被覆する底面被覆部と、開口孔を有しお鏡餅の平面側を傾斜状に被覆する平面被覆部と、お鏡餅の背面側を鉛直状に被覆する背面被覆部を備えるとともに、平面被覆部のお鏡餅正面側の側縁にお鏡餅の収容部底面側へ折り曲げる左右一対の折曲片と、背面被覆部の内側に重ねるように逆レの字形に形成されてお鏡餅のフランジ部を押える押え部とを備えたことを特徴とするものである。
本願考案に係る第２の考案は、背面被覆部の下端縁に底面被覆部側へ折り曲げる差込片と、底面被覆部の背面被覆部側に差込片の差込口となる観音開き形の左右の扉部とを備えたことを特徴とする同お鏡餅用装飾カバーである。
本願考案に係る第３の考案は、上記第１又は第２の考案に係るお鏡餅用装飾カバーを取り付けて装飾されたことを特徴とするお鏡餅である。
【考案の効果】
【０００７】
本願考案によれば、以下のような効果を有する。
（１）本願考案に係るお鏡餅用装飾カバーを取り付けることによって、お鏡餅がこれまでの競合品（お鏡餅）と差別化を図ることができるだけでなく、見栄えも向上し、店頭でアピールできる販促的な装飾カバーで且つ購入者が飾るときの装飾カバーになった。
（２）また、上記販促面等以外にも、折曲片を備えることで、お鏡餅の動きを固定するともに、正面からはお鏡餅が隠れることなく、確実に見えることができる。同様に、押え部を備えることで、お鏡餅のフランジ部を上から押さえ付けることになり、お鏡餅が浮き上がることを防ぐことができる。その結果、お鏡餅が装飾用カバー内で確実に固定されるとともに（お鏡餅と装飾用カバーとの一体化）、店頭では立体的に見えて、豪華さ・見栄え向上につながる。
（３）さらに、本願考案に係るお鏡餅用装飾カバーは、背面被覆部の下端縁に底面被覆部側へ折り曲げる差込片と、底面被覆部の背面被覆部側に差込片の差込口となる観音開き形の左右の扉部とを備えたことで、差込片を容易に差込口に差し込めて（ワンタッチで差し込み作業を完了できる）、お鏡餅に装飾用カバーを取り付ける取付作業の効率が飛躍的に向上する。
【図面の簡単な説明】
【０００８】
【図１】本願考案に係るお鏡餅用装飾カバーを説明する説明図（１）。
【図２】本願考案に係るお鏡餅用装飾カバーを説明する説明図（２）。
【図３】本願考案に係るお鏡餅用装飾カバーを説明する説明図（３）。
【図４】本願考案に係るお鏡餅用装飾カバーを説明する説明図（４）。
【考案を実施するための形態】
【０００９】
本考案の実施形態を図面に基づいて説明する。
図１は、本願考案に係るお鏡餅用装飾カバーを示す説明図（１）であり、その使用状態を示す斜視図である。
図１に示すお鏡餅用装飾カバー１０（以下「装飾カバー１０」）は、餅を収容した収容部５１と、収容部５１の下端に収容部底面を外延するフランジ部５２と、を備えたお鏡餅５０に取り付けるものである。
【００１０】
装飾用カバー１０は、開口孔３１を形成して収容部５１を貫通しつつお鏡餅５０を環状に巻装する帯状の本体１１からなり、当該本体１１は、お鏡餅５０の底面側を水平状に被覆する底面被覆部２０と、開口孔３１を有しお鏡餅の平面側を傾斜状に被覆する平面被覆部３０と、お鏡餅５０の背面側を鉛直状に被覆する背面被覆部４０を備える。
【００１１】
そして、平面被覆部３０のお鏡餅正面側の側縁に左右一対の折曲片３２，３２と、背面被覆部４０の内側に重ねるように逆レの字形に形成されてお鏡餅５０のフランジ部５２を押える押え部（起立片４５，押え片４６）とを備える。また、背面被覆部４０の下端縁に差込片４３と、底面被覆部２０に差込口２３を構成する左右の扉部２４，２４とを備える。
【００１２】
図２は、本願考案に係るお鏡餅用装飾カバーを示す説明図（２）であり、装飾用カバー１０の展開図（一例）である。装飾用カバー１０の取付方法は、次の図３及び図４に図示する。
【００１３】
まず、図３（ａ）に図示するように、お鏡餅５０を、装飾用カバー１０の本体１１（平面被覆部２０）下にセットして、お鏡餅５０の収容部５１を開口孔３１へ貫通する。
【００１４】
次に、図３（ｂ）に図示するように、貫通した収容部５１（フランジ部５２）の底面側へ折曲部３２，３２を折り曲げてから、底面被覆部２０でお鏡餅５０の底面側を被覆する。これによって、お鏡餅５０が装飾カバー１０内で固定されて、装飾カバー１０の取り付けが安定する。また、正面からはお鏡餅５０が隠れることなく、確実に見えることができる。
【００１５】
さらに、図３（ｃ）に図示するように、押え部（起立片４５，押え片４６）でお鏡餅５０のフランジ部５２を押える。これによって、折曲片３２，３２で固定されていないフランジ部５２も上から押さえ付けられることになり、お鏡餅５０が装飾用カバー１０内にあって浮き上がり等することを防ぐことができる。
【００１６】
最後に、図３（ｄ）に図示するように、背面被覆部４０に設けられた差込片４３を底面被覆部２０の差込口２３へ差し込み、装飾用カバー１０の取り付けを完了する。差込片４３の差込口２３への差込方法については、図４で詳しく説明する。
【００１７】
まず、図４（ａ）に図示するように、背面被覆部４０の下端縁に差込片４３と、底面被覆部２０に差込口２３を構成する左右の扉部２４，２４とを備える。
次に、図４（ｂ）に図示するように、差込片４３を差込口２３へ押し込むと、左右の扉部２４，２４が下方へ開きながら、差込片４３が差込口２３へ差し込まれる。
そして、図４（ｃ）に図示するように、差込片４３が奥まで差し込まれると、左右の扉部２４，２４が閉じて、差込片４３の差し込みが完了する。扉部２４，２４があるので、差込片４３は差込口２３から外れることはない。
図４（ａ）から図４（ｃ）の一連の作業はほぼワンタッチで行うことができるので、お鏡餅５０に装飾用カバー１０を取り付ける取付作業の効率が飛躍的に向上する。
【００１８】
なお、図１乃至図４では、装飾カバー１０の表面が無地になっているが、この部分に様々な装飾・デザインを施して、販促的で且つお飾り的な装飾カバーとすることは勿論である。
【産業上の利用可能性】
【００１９】
本願考案は、お鏡餅を装飾するために取り付ける装飾カバー（お鏡餅用装飾カバー）として、幅広く利用できる。
【符号の説明】
【００２０】
１０  お鏡餅用装飾カバー（装飾カバー）
１１  本体
２０  底面被覆部
２３  差込口
２４  扉部
３０  平面被覆部
３１  開口孔
３２  折曲片
４０  背面被覆部
４３  差込片
４５  起立片
４６  押え片
５０  お鏡餅
５１  収容部
５２  フランジ部
【図１】
0003205929.tif 000003
【図２】
0003205929.tif 000004
【図３】
0003205929.tif 000005
【図４】
0003205929.tif 000006